(57)【要約】【課題】充填剤を使用する場合は、作業現場において樹脂などを充填するので手間がかかり、充填材で接続部品および作業現場を汚す。また、ロックナットを使用する場合は、使用中、張力によってロックナットが緩む恐れがあり、接続の確実性を維持することに課題があった。【解決手段】内面に多数の凸部が形成され、外面にねじが形成され、かつ端部が薄く中央に至るに従って厚くなるようにテーパ状に形成された２つ割のくい込み添接部材を、異形鉄筋の接続部を覆うように組み付けて円筒状とし、その外面のねじにロックナットを螺合する。この螺合に従ってくい込み添接部材は縮径して内面の凸部が異形鉄筋の表面に圧接する。この結果、従来の課題を解消して、異形鉄筋を機械式継ぎ手と同等の性能で確実に接続するとともに、その接続状態を安定に維持することができる。【選択図】図２
2008075417.tif 000002
【特許請求の範囲】
【請求項１】
接続すべき一対の異形鉄筋と、内面に多数の凸部が形成され、外面にねじが形成され、かつ端部が薄く中央に至るに従って厚くなるようにテーパ状に形成された二つ割のくい込み添接部材と、前記異形鉄筋の接続部を覆うように組み付けて円筒状とした前記くい込み添接部材のねじに螺合するロックナットとを備え、前記くい込み添接部材はロックナットの締め付けに従い、テーパ状の斜面により異形鉄筋側に縮径され、内面の凸部が異形鉄筋の表面に圧接することを特徴とする異形鉄筋の接続方法。
【請求項２】
くい込み添接部材の材質を金属としたことを特徴とする請求項１記載の異形鉄筋の接続方法。
【請求項３】
ロックナットを螺合するくい込み添接部材のねじ部にフッ素系合成樹脂を固着したことを特徴とする請求項１または請求項２記載の異形鉄筋の接続方法。
【発明の詳細な説明】
【技術分野】
【０００１】
この発明は、一対の異形鉄筋を充填材を使用することなく接続する異形鉄筋の接続方法に関するものである。
【背景技術】
【０００２】
従来、高層ビルなどに用いられるねじ鉄筋同士を接続するためには、接続すべき一対のねじ鉄筋をくい込み添接部材内のねじに螺合させて接続している。
しかし、くい込み添接部材は精度が余りよくなくがたつきが生じるので、特許文献１に示されるように、くい込み添接部材の周面に穴をあけて、くい込み添接部材内に樹脂またはモルタルを充填して、張力がかかってもがたつきが生じないようにしている。
また、特許文献２に示されるように、充填材を使用することなく、ねじ鉄筋のそれぞれに螺合されたロックナットをくい込み添接部材の両端面に向かって締め付けるものがある。
【０００３】
【特許文献１】特開平１１−１０７４４５号公報（図１参照）
【特許文献２】特開２００４−２３８８６９号公報（図２参照）
【発明の開示】
【発明が解決しようとする課題】
【０００４】
従来のねじ鉄筋の接続方法は上記のように行われているので、特許文献１に示されるものでは、充填材が十分充填されているか否かを外部から確認することができなく、接続の確実性を認識することができない。また、作業現場において樹脂などを充填することは手間がかかり、充填材で接続部品および作業現場を汚す等の課題があった。
また、特許文献２に示されるロックナット使用のものでは、使用中、張力によってロックナットが緩む恐れがあり、接続の確実性を維持することに課題があった。
そして、上記のように表面にねじの変わりに、ふし（軸線に対して直角や斜めの突起）や、リブ（軸線方向の突起）をつけたり変形させたりしてコンクリ−トの付着性を高めた異形鉄筋は、上記の接続方法は適用することができず、現状においては、この異形鉄筋に対する機械式継ぎ手がないという課題があった。
【０００５】
この発明は上記従来の課題を解消するためになされたもので、現場における作業が簡単であり、一対の異形鉄筋を充填材を使用することなく、確実に接続できる異形鉄筋の接続方法を提供することを目的とする。
【課題を解決するための手段】
【０００６】
この発明に係る異形鉄筋の接続方法は、接続すべき一対の異形鉄筋と、内面に多数の凸部が形成され、外面にねじが形成され、かつ端部が薄く中央に至るに従って厚くなるようにテーパ状に形成された二つ割のくい込み添接部材と、前記異形鉄筋の接続部を覆うように組み付けて円筒状とした前記くい込み添接部材のねじに螺合するロックナットとを備え、前記くい込み添接部材はロックナットの締め付けに従い、テーパ状の斜面により異形鉄筋側に縮径され、内面の凸部が異形鉄筋の表面に圧接するものである。
【発明の効果】
【０００７】
この発明によれば、テーパ状に形成された二つ割のくい込み添接部材を異形鉄筋の接続部を覆うように組み付けて円筒状とし、このくい込み添接部材の外面のねじにロックナットを螺合し、くい込み添接部材内面の凸部を異形鉄筋の表面に圧接させて、一対の異形鉄筋を強固に締結するように構成したので、このくい込み添接部材を金属とすることにより、機械式継ぎ手と同等の性能が得られる。また、樹脂またはモルタル等の充填材を使用する必要がない。従って、作業現場において樹脂等を充填する手間もなく、現場における作業が簡単であり、充填材で接続部品および作業現場を汚すこともなく、一対の異形鉄筋を安価に且つ確実に接続できる効果がある。
【発明を実施するための最良の形態】
【０００８】
以下、この発明の実施の形態を図１から図６を参照して詳細に説明する。
実施の形態１．
図１はこの発明の実施の形態１による異形鉄筋の接続方法を説明するくい込み添接部材、ロックナットの縦断面図である。図２はこの発明による異形鉄筋の接続工程の説明図である。図３、図４は一部を拡大して示したこの発明による異形鉄筋の接続工程の説明図である。図５はくい込み添接部材を示す図であり、（ａ）は（ｂ）のａ−ａ線に沿う縦断面図、（ｂ）は端面図である。図６はロックナットを示す図であり、（ａ）は縦断面図，（ｂ）は端面図である。
【０００９】
図において、一対の異形鉄筋１，２を接続するくい込み添接部材３は図５に示すように、筒状体を二つ割したもので、内面に多数の凸部３ａが形成され、外面にねじ４が形成され、端部は薄く中央に至るに従って厚くなるようにテーパ状（厚み差ｔ）に形成されている。一対の異形鉄筋１，２は全長にわたって突起として雄ねじ５が形成されているとともに、両側面が軸線方向に欠如されて平面６に仕上げられている。図６に示すロックナット７は異形鉄筋の接続部を覆うように組み付けて円筒状とした、くい込み添接部材３の外面のねじ４に螺合する。
【００１０】
次に異形鉄筋１，２の接続作業を説明する。まず、図１に示すように、接続すべき一対の異形鉄筋１，２のそれぞれにロックナット７を嵌合させた後、この一対の異形鉄筋１，２を端部同士を当接させて直線状に配置し、その当接部を覆うように２つ割のくい込み添接部材３を組み付けて円筒状に閉じる。そして、このくい込み添接部材７の外面のねじ４にロックナット７を螺合する。この螺合に従い、くい込み添接部材３はテーパ状の斜面によって異形鉄筋１，２側に縮径され、内面の凸部３ａが異形鉄筋１，２の表面にくい込むように圧接する。これにより、一対の異形鉄筋１，２はくい込み添接部材３、ロックナット７によって強固に一体に接続される。この状態において、くい込み添接部材は異形鉄筋の表面に圧接した凸部３ａの反発力によって該異形鉄筋から離間する方向の力が加えられる。この結果、くい込み添接部材３のねじ山とロックナットのねじ山とが密接して該ロックナットは緩むことがない。
【００１１】
この接続作業に際し、くい込み添接部材３のねじ４にフッ素系合成樹脂、例えばテフロン（登録商標）をテープのように巻き付けておく。このようにすると、摩擦が低減され、通常の締め付けトルクより大きな締め付け力が得られ、異形鉄筋１，２とくい込み添接部材３をより強固に一体に緊結できる。
【００１２】
なお、図面は、全長にわたり雄ねじ５が形成され、両側面を平面に欠如した異形鉄筋１，２を示したが、この異形鉄筋１，２は少なくとも表面にふしや、リブをつけて変形させたものであればよい。また、異形鉄筋１，２は両側面を平面にすることなく横断面円形のものでもよい。
【００１３】
以上のように、この発明によれば、テーパ状に形成された二つ割のくい込み添接部材を異形鉄筋の接続部を覆うように組み付けて円筒状とし、このくい込み添接部材の外面のねじにロックナットを螺合し、くい込み添接部材内面の凸部を異形鉄筋の表面に圧接させて、一対の異形鉄筋を強固に締結するように構成したので、このくい込み添接部材を金属とすることにより、機械式継ぎ手と同等の性能が得られる。また、くい込み添接部材を介して一対の異形鉄筋を強固に締結した後は、くい込み添接部材は異形鉄筋の表面に圧接した凸部の反発力によって該異形鉄筋から離間する方向の力が加えられる。この結果、くい込み添接部材のねじ山とロックナットのねじ山とが密接して該ロックナットが緩むことがなく、安定した接続状態を維持することができる。また、樹脂またはモルタル等の充填材を使用する必要がない。従って、作業現場において樹脂等を充填する手間もなく、現場における作業が簡単であり、充填材で接続部品および作業現場を汚すこともなく、一対の異形鉄筋を安価に且つ確実に接続できる効果がある。
【図面の簡単な説明】
【００１４】
【図１】図１はこの発明の実施の形態１による異形鉄筋の接続方法を説明するくい込み添接部材の縦断面図である。
【図２】この発明による異形鉄筋の接続工程の説明図である。
【図３】一部を拡大して示したこの発明による異形鉄筋の接続工程の説明図である。
【図４】一部を拡大して示したこの発明による異形鉄筋の接続工程の説明図である。
【図５】くい込み添接部材を示す図であり、（ａ）はａ−ａ線に沿う縦断面図、（ｂ）は端面図である。
【図６】ロックナットを示す図であり、（ａ）は縦断面図，（ｂ）は端面図である。
【符号の説明】
【００１５】
１，２  一対の異形鉄筋１，２
３  くい込み添接部材
４  雌ねじ
５  雄ねじ
６  平面
７  ロックナット
【図１】
2008075417.tif 000003
【図２】
2008075417.tif 000004
【図３】
2008075417.tif 000005
【図４】
2008075417.tif 000006
【図５】
2008075417.tif 000007
【図６】
2008075417.tif 000008